【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
原子発振器ユニットと制御回路部とを備え、基準クロック信号を生成し出力する原子発振器と、
前記基準クロック信号に基づいて動作する時計モジュールと、
前記原子発振器と前記時計モジュールとに電力を供給する電源と、
前記電源が組み込まれた前記時計モジュールと前記原子発振器とを収納する時計ケースと、
前記時計モジュールと前記原子発振器ユニットとを熱的に分離する断熱材と、を備え、
前記原子発振器ユニットは、前記断熱材により全周覆われていることを特徴とする携帯時計。
【請求項２】
請求項１記載の携帯時計において、
前記時計モジュールは地板を有し、
前記原子発振器は、前記地板に２点支持されて当該時計モジュールに固定されていることを特徴とする携帯時計。
【請求項３】
請求項１または請求項２に記載の携帯時計において、
前記制御回路部は、前記原子発振器ユニットとともに、前記断熱材により全周覆われていることを特徴とする携帯時計。
【請求項４】
請求項１ないし請求項３のいずれかに記載の携帯時計において、
耐磁性を有する原子発振器ケースを備え、
前記原子発振器は、前記原子発振器ケースに収納されていることを特徴とする携帯時計。
【請求項５】
基準クロック信号を生成し出力する原子発振器と、
前記基準クロック信号に基づいて動作する時計モジュールと、
前記原子発振器と前記時計モジュールとを、熱的に分離する熱的分離手段と、
を備えたことを特徴とする携帯時計。
【請求項６】
請求項５記載の携帯時計において、
耐磁性を有する原子発振器ケースを備え、
前記原子発振器は、前記原子発振器ケースに配置されるとともに、前記原子発振器と前記時計モジュールとの間に前記熱的分離手段として空気層あるいは断熱材のうち少なくともいずれかを配置していることを特徴とする携帯時計。
【請求項７】
請求項１ないし請求項６のいずれかに記載の携帯時計において、
前記原子発振器は、前記時計モジュールに対して位置決めされ、当該時計モジュールと一体とされていることを特徴とする携帯時計。
【請求項８】
請求項４または請求項６記載の携帯時計において、
前記原子発振器ケースは、前記時計モジュールを収納するモジュール収納部を有するとともに、
前記原子発振器は、前記モジュール収納部の周囲に配置されることを特徴とする携帯時計。
【請求項９】
請求項６記載の携帯時計において、
前記原子発振器ケース内に配置され、前記時計モジュールを支持するとともに、前記熱的分離手段として機能する断熱材で形成された中枠を有し、
前記モジュール収納部は、前記中枠に支持された前記時計モジュールを収納することを特徴とする携帯時計。
【請求項１０】
請求項１ないし請求項９のいずれかに記載の携帯時計において、
前記原子発振器と前記時計モジュールとは、３次元空間的に分離されて配置されていることを特徴とする携帯時計。
【請求項１１】
請求項１０記載の携帯時計において、
前記時計モジュールおよび前記原子発振器の所定平面に対する正射影が重ならないように前記時計モジュールおよび前記原子発振器が配置されていることを特徴とする携帯時計。
【請求項１２】
請求項４、請求項６、請求項８または請求項９のいずれかに記載の携帯時計において、
前記原子発振器ケースは裏蓋を備え、
前記原子発振器は、前記裏蓋に支持されていることを特徴とする携帯時計。
【請求項１３】
請求項１ないし請求項１１のいずれかに記載の携帯時計において、
前記携帯時計は、当該携帯時計を腕に装着するための時計バンドを備えた腕時計として構成されていることを特徴とする携帯時計。
【請求項１４】
請求項１３記載の携帯時計において、
前記原子発振器は、前記時計バンドに支持されていることを特徴とする携帯時計。
【請求項１５】
請求項１ないし請求項１１、請求項１３のいずれかに記載の携帯時計において、
時刻表示用の文字板を備え、
前記原子発振器は、前記文字板に支持されていることを特徴とする携帯時計。
【請求項１６】
請求項１ないし請求項１５のいずれかに記載の携帯時計において、
前記原子発振ユニットは、原子を封入したセルと、前記セルを加熱するヒータと、
前記セルの温度を検出するセル温度センサと、を備え
前記制御回路部は、前記セルに対して、前記原子の励起に伴う励起状態のエネルギー準位と、基底状態のエネルギー準位とのエネルギー差に相当する周波数を参照するとともに、前記セル温度センサの検出状態に基づいて前記ヒータを制御し前記セルを所定温度に維持する制御装置を備えている、
ことを特徴とする携帯時計。
【請求項１７】
基準クロック信号を生成し出力する原子発振器と、
前記基準クロック信号に基づいて動作する動作モジュールと、
前記原子発振器と前記動作モジュールとを、熱的に分離する熱的分離手段と、
を備えたことを特徴とする電子機器。
【手続補正２】
【補正対象書類名】明細書
【補正対象項目名】０００４
【補正方法】変更
【補正の内容】
【０００４】
上記課題を解決するため、携帯時計は、原子発振器ユニットと制御回路部とを備え、基準クロック信号を生成し出力する原子発振器と、前記基準クロック信号に基づいて動作する時計モジュールと、前記原子発振器と前記時計モジュールとに電力を供給する電源と、前記電源が組み込まれた前記時計モジュールと前記原子発振器とを収納する時計ケースと、前記時計モジュールと前記原子発振器ユニットとを熱的に分離する断熱材と、を備え、前記原子発振器ユニットは、前記断熱材により全周覆われていることを特徴としている。
上記構成によれば、原子発振器ユニットは、時計モジュールと原子発振器ユニットとを熱的に分離する断熱材により全周覆われた状態で、原子発振器に電源から電力が供給され、基準クロック信号を生成して、時計モジュールに供給し、時計モジュールは、電源から電力が供給されて、基準クロック信号に基づいて動作する。
したがって、原子発振器と時計モジュールとは断熱材により熱的に分離されているので、比較的小型の携帯時計においても時計モジュールが原子発振器の熱の影響を受けることがなく、機械的部品精度の低下や潤滑油の劣化などの発生を抑制することができる。
この場合において、前記時計モジュールは地板を有し、前記原子発振器は、前記地板に２点支持されて当該時計モジュールに固定されているようにしてもよい。
また、前記制御回路部は、前記原子発振器ユニットとともに、前記断熱材により全周覆われているようにしてもよい。
さらに、耐磁性を有する原子発振器ケースを備え、前記原子発振器は、前記原子発振器ケースに収納されているようにしてもよい。
また、携帯時計は、基準クロック信号を生成し出力する原子発振器と、前記基準クロック信号に基づいて動作する時計モジュールと、前記原子発振器と前記時計モジュールとを、熱的に分離する熱的分離手段と、を備えたことを特徴としている。
上記構成によれば、原子発振器と時計モジュールとは、熱的分離手段により熱的に分離されているので、比較的小型の携帯時計においても時計モジュールが原子発振器の熱の影響を受けることがなく、機械的部品精度の低下や潤滑油の劣化などの発生を抑制することができる。
【手続補正３】
【補正対象書類名】明細書
【補正対象項目名】０００５
【補正方法】変更
【補正の内容】
【０００５】
この場合において、耐磁性を有する原子発振器ケースを備え、前記原子発振器は、前記原子発振器ケースに配置されるとともに、前記原子発振器と前記時計モジュールとの間に前記熱的分離手段として空気層あるいは断熱材のうち少なくともいずれかを配置しているようにしてもよい。
また、前記原子発振器は、前記時計モジュールに対して位置決めされ、当該時計モジュールと一体とされているようにしてもよい。
さらに、前記原子発振器ケースは、前記時計モジュールを収納するモジュール収納部を有するとともに、前記原子発振器は、前記モジュール収納部の周囲に配置されるようにしてもよい。
さらにまた、前記原子発振器ケース内に配置され、前記時計モジュールを支持するとともに、前記熱的分離手段として機能する断熱材で形成された中枠を有し、前記モジュール収納部は、前記中枠に支持された前記時計モジュールを収納するようにしてもよい。
また、前記原子発振器と前記時計モジュールとは、３次元空間的に分離されて配置されているようにしてもよい。
【手続補正４】
【補正対象書類名】明細書
【補正対象項目名】０００６
【補正方法】変更
【補正の内容】
【０００６】
さらに、前記時計モジュールおよび前記原子発振器の所定平面に対する正射影が重ならないように前記時計モジュールおよび前記原子発振器が配置されているようにしてもよい。
さらにまた、前記原子発振器ケースは裏蓋を備え、前記原子発振器は、前記裏蓋に支持されているようにしてもよい。
また、前記携帯時計は、当該携帯時計を腕に装着するための時計バンドを備えた腕時計として構成されているようにしてもよい。
さらに、前記原子発振器は、前記時計バンドに支持されているようにしてもよい。
さらにまた、時刻表示用の文字板を備え、前記原子発振器は、前記文字板に支持されているようにしてもよい。
また、前記原子発振ユニットは、原子を封入したセルと、前記セルを加熱するヒータと、前記セルの温度を検出するセル温度センサと、を備え、前記制御回路部は、前記セルに対して、前記原子の励起に伴う励起状態のエネルギー準位と、基底状態のエネルギー準位とのエネルギー差に相当する周波数を参照するとともに、前記セル温度センサの検出状態に基づいて前記ヒータを制御し前記セルを所定温度に維持する制御装置を備えているようにしてもよい。
【手続補正５】
【補正対象書類名】明細書
【補正対象項目名】０００８
【補正方法】変更
【補正の内容】
【０００８】
この場合において、耐磁性を有する原子発振器ケースを備え、前記原子発振器は、前記原子発振器ケースに配置されるとともに、前記原子発振器と前記動作モジュールとの間に前記熱的分離手段として空気層あるいは断熱材のうち少なくともいずれかを配置しているようにしてもよい。